(57)【要約】【課題】所望量の泡を生成することができ、かつ取扱い及び洗浄が容易で美容用途に適した泡立て装置を備えた美容器具を提供する。【解決手段】美容器具（１Ｂ）は、泡立て容器（１３）の内部に入れられた洗顔料（ＣＬ）を泡立てる泡立て装置（３０）を備える。泡立て装置（３０）は、泡立て容器（１３）の内部に配設され、かつ回転軸（２１）の回りに回転する回転板（３１）と、蓋体（１４）に支持固定され、回転板（３１）の回転時に洗顔料（ＣＬ）が盛られた回転板（３１）を摺動するブラシ体（２３）とを備えている。【選択図】図４
2015198731.tif 000002
【特許請求の範囲】
【請求項１】
容器の内部に入れられた洗顔剤を泡立てる泡立て装置を備えた美容器具において、
上記泡立て装置は、
上記容器の内部に配設され、かつ回転中心の回りに回転する回転板と、
上記容器に支持固定され、上記回転板の回転時に上記洗顔剤が盛られた該回転板を摺動するブラシ体とを備えていることを特徴とする美容器具。
【請求項２】
前記回転板の表面は、表面粗さが１０μｍ以上となっていることを特徴とする請求項１記載の美容器具。
【請求項３】
前記回転板の表面は、表面エネルギーが２０×１０−３Ｎ／ｍ以下となっていることを特徴とする請求項１又は２記載の美容器具。
【請求項４】
前記回転板の表面には、生物を模倣した微細毛又は微細構造が付与されていることを特徴とする請求項１、２又は３記載の美容器具。
【請求項５】
前記容器の内部には、前記回転板としての底面を有する回転容器が設けられていることを特徴とする請求項１〜４のいずれか１項に記載の美容器具。
【請求項６】
前記ブラシ体は、軸部と前記回転容器の底面側に位置するブラシ毛とからなり、
上記軸部と前記回転容器の側壁面との間隔が、５ｍｍ以内となるように設定されていると共に、
上記ブラシ毛の一部は、上記回転容器の側壁面に接触するようになっていることを特徴とする請求項５記載の美容器具。
【発明の詳細な説明】
【技術分野】
【０００１】
本発明は、容器の内部に入れられた洗顔剤を泡立てる泡立て装置を備えた美容器具に関するものであり、特に、美容用途に適した泡立て装置を備えた美容器具に関する。
【背景技術】
【０００２】
一般的に、メイク等をした後では、クレンジングや洗顔を行うことによって、顔の皮膚を清潔に保つ必要がある。中でも洗顔は、表面の皮脂を落とすだけでなく毛穴の奥の汚れも十分に落とすことが求められ、洗顔が不十分であると肌トラブルの原因となる。
【０００３】
毛穴の奥の汚れを効果的に洗顔する方法として、様々な手法があるが、一般的には、洗顔料を泡立てて洗顔する方法が挙げられる。
【０００４】
ここで、洗顔料を泡立てるときには、泡立てネットや泡状の洗顔料を用いることによってキメの細かい、つまり微細な泡構造を持つ泡を生成することができる。そして、その泡が毛穴の奥の細かな構造に入り込むことによって、効果的に洗顔を行うことができる。
【０００５】
従来の洗顔料を泡立てる泡立て装置としては、例えば、特許文献１〜３に開示されたものが知られている。
【０００６】
特許文献１に開示された泡洗浄器１００では、図１１の（ａ）（ｂ）に示すように、円筒状の本体１０１の内部にモーター１０２に連結したファン１１１及び電池１０３・１０３が設けられている。また、外部にはスイッチ１０４が設けられている。
【０００７】
この泡洗浄器１００では、泡噴出口１１２及び泡吸入口１１３には洗剤を泡状にするためのネット１１４が設置される。そして、泡洗浄器１００を使用する場合には、まず、ネット１１４に洗顔用液体洗剤を適量滴下する。次いで、ファン１１１を回転させることにより、本体１０１の上部開口部中心の泡噴出口１１２から泡が出、周囲の泡吸入口１１３から泡を吸入する。泡噴出口１１２及び泡吸入口１１３を有する本体１０１の開口部を洗浄したい肌の表面で塞ぐことにより泡を肌の表面で流動させる密閉された空間ができる。この結果、肌の表面で泡の流動が起こり、皮脂や汚れを泡で吸着する。
【０００８】
これにより、泡洗浄器１００では、手・タオル・ブラシ・スポンジ等を手によって皮膚にこすり付けることによって行っている洗浄を、ファン１１１の回転による皮膚表面の泡の循環によって正しく楽に洗浄できるものとなっている。
【０００９】
また、特許文献２に開示された洗浄器２００は、図１２に示すように、アタッチメント２０１と、噴射口２０２ａを有し回転可能な導液管２０２と、該導液管２０２を回転させる駆動部モーター２０３と、貯水タンク２０４と、貯水室２０５とを備えている。
【００１０】
上記洗浄器２００では、例えば顔をアタッチメント２０１に当接した後、駆動部モーター２０３を駆動する。これにより、貯水タンク２０４に貯められた洗剤が、貯水室２０５を介して導液管２０２に流入され、導液管２０２の回転によって噴射口２０２ａから流体を噴出して泡立て擦り洗顔するようになっている。
【００１１】
さらに、特許文献３に開示された洗浄機３００は、図１３に示すように、円筒からなる本体３０１の内部に設けられ、該本体３０１の中心軸に点対称となる一対の洗浄部３１０・３１０と、これら洗浄部３１０・３１０に洗剤を供給する手段３０２・３０２とを備えている。
【００１２】
上記洗浄部３１０は、モーター３１１により駆動されて回転するブラシ３１２ａを有する回転ブラシ３１２と、この回転ブラシ３１２の内側に形成された洗剤泡立室３１３に臨み、該回転ブラシ３１２に対して相対的に回転する泡立ブラシ３１４とを備えている。上記洗剤泡立室３１３は、底面方向に径大なるテーパ状内周壁３１３ａを有すると共に、最外周よりも内側に位置した底面の一部に洗剤液出口３１３ｂを備えている。さらに、テーパ状内周壁３１３ａから底面３１３ｃに沿って多数のリブ３１５が放射状に形成されている。
【００１３】
上記洗浄機３００では、モーター３１１に通電すると、回転ブラシ３１２が回転し、また、泡立ブラシ３１４が、洗剤泡立室３１３の内部で回転ブラシ３１２に対して相対的に回転する。このとき、洗顔料を入れた洗剤泡立室３１３の内部におけるリブ３１５に対し、回転する泡立ブラシ３１４が当たることによって、泡を発生させるようになっている。
【先行技術文献】
【特許文献】
【００１４】
【特許文献１】特開２００７−７００８号公報（２００７年１月１８日公開）
【特許文献２】特開２００８−１５４９８２号公報（２００８年７月１０日公開）
【特許文献３】特開昭５６−８３３２２号公報（１９８１年７月７日公開）
【発明の概要】
【発明が解決しようとする課題】
【００１５】
しかしながら、上記従来の洗顔料を泡立てる泡立て装置では、以下の問題点を有している。
【００１６】
まず、特許文献１に開示された泡洗浄器１００の泡立て装置では、ネット１１４に滴下された洗顔用液体洗剤を泡立てるだけであるので、生成される泡の量が少ない。さらに、清潔さを保つためには、ネット１１４を毎回取り替えなければならないので、面倒である。
【００１７】
次に、特許文献２に開示された洗浄器２００の泡立て装置では、貯水室２０５が密閉空間となっており、該貯水室２０５の洗浄が容易ではない。
【００１８】
また、特許文献３に開示された洗浄機３００の泡立て装置は、洗浄機３００自体が電車、バス等のシートの清掃に利用されるものであり、電動の泡立ブラシ３１４をリブ３１５に衝突させて泡立てている。このため、泡の粒子が均一でなく、洗顔に適した粒子径の泡立てを経常的に行うことはできない。したがって、この構造の泡立て装置を美容器具に適用した場合には、肌表面や毛穴の奥に汚れ残りが発生し、肌トラブルを引き起こす原因となってしまう。
【００１９】
本発明は、上記従来の問題点に鑑みなされたものであって、その目的は、所望量の泡を生成することができ、かつ取扱い及び洗浄が容易で美容用途に適した泡立て装置を備えた美容器具を提供することにある。
【課題を解決するための手段】
【００２０】
本発明の一態様における美容器具は、上記の課題を解決するために、容器の内部に入れられた洗顔剤を泡立てる泡立て装置を備えた美容器具において、上記泡立て装置は、上記容器の内部に配設され、かつ回転中心の回りに回転する回転板と、上記容器に支持固定され、上記回転板の回転時に上記洗顔剤が盛られた該回転板を摺動するブラシ体とを備えていることを特徴としている。
【発明の効果】
【００２１】
本発明の一態様によれば、所望量の泡を生成することができ、かつ取扱い及び洗浄が容易で美容用途に適した泡立て装置を備えた美容器具を提供するという効果を奏する。
【図面の簡単な説明】
【００２２】
【図１】本発明の実施形態１における美容器具の泡立て装置の構成を示す断面図である。
【図２】上記美容器具の全体構成を示す斜視図である。
【図３】上記美容器具の全体構成を示す分解斜視図である。
【図４】本発明の実施形態２における美容器具の泡立て装置の構成を示す断面図である。
【図５】（ａ）は本発明の実施形態３における美容器具の泡立て装置の構成を説明するものであって、アメンボの足の微細毛を示す図であり、（ｂ）は蓮の葉の微細構造を示す図である。
【図６】上記美容器具における回転板の素材の種類に対する表面粗さと泡の粘度との関係を示す図である。
【図７】上記美容器具における回転板の各種の素材と表面粗さと泡の粘度との関係を示すグラフである。
【図８】市販の泡洗顔剤の平均泡サイズと、本実施の形態の美容器具にて生成した泡の平均泡サイズとの関係を示す図である。
【図９】人の年代と毛穴の大きさとの関係を示すグラフである。
【図１０】上記美容器具における泡立て容器の各種の素材に対する表面エネルギーと濡れ性との相関を示す図である。
【図１１】（ａ）は従来の泡立て装置を備えた泡洗浄器の構成を示す斜視図であり、（ｂ）は上記泡洗浄器の構成を示す断面図である。
【図１２】従来の他の泡立て装置を備えた洗浄器の構成を示す断面図である。
【図１３】従来のさらに他の泡立て装置を備えた洗浄機の構成を示す部分断面図である。
【発明を実施するための形態】
【００２３】
〔実施の形態１〕
（美容器具の構成）
本発明の一実施形態について図１〜図３に基づいて説明すれば、以下のとおりである。
【００２４】
本実施の形態の美容器具の構成について、図１〜図３に基づいて説明する。図１は美容器具の泡立て手段の構成を示す断面図であり、図２は美容器具の全体構成を示す斜視図であり、図３は美容器具の全体構成を示す分解斜視図である。
【００２５】
本実施の形態の美容器具１Ａは、図１に示すように、筐体の内部に洗顔剤を泡立てる泡立て装置２０を備えている。
【００２６】
上記筐体１０は、図２及び図３に示すように、モーター１１を収容するモーター収容部１２と、モーター収容部１２の上側に設けられ、かつ内部の回転容器２２をモーター１１にて回転可能に収納する容器としての泡立て容器１３と、泡立て容器１３の上面を覆う蓋体１４と、モーター収容部１２の下部に設けられた底面カバー１５とを備えている。
【００２７】
上記モーター収容部１２には、モーター１１のモーター軸１１ａが上向きになるようにしてモーター１１が収容されている。このモーター軸１１ａは、例えば四角形断面にてなっており、後述する回転軸２１に形成されたモーター軸用孔２１ａに嵌挿されることにより、回転軸２１がモーター軸１１ａと一体に回転されるようになっている。このことは、逆に、本実施の形態の回転軸２１とモーター軸１１ａとは容易に切り離し可能となっており、モーター収容部１２と泡立て容器１３とが容易に切り離し可能になっていることを示している。
【００２８】
上記モーター収容部１２の下部には、底面カバー１５が配置されており、この底面カバー１５は、美容器具１Ａの全体を支持するようになっている。底面カバー１５の裏面には、浴室等の高湿下で使用しても滑ることのないように滑り止め加工が施されている。
【００２９】
また、モーター収容部１２の左右の外側壁面左右には、例えば、一対の洗顔プレート１６・１６を保持するためのホルダー１７・１７が設けられている。上記洗顔プレート１６は、中央部に振動板１６ａを有しており、この振動板１６ａの上に泡を載置して、顔等に泡を当接することにより、泡が振動して、該泡が顔の汚れを十分に落とすようになっている。
【００３０】
また、モーター収容部１２の内部には、モーター１１以外に、電源となる図示しない電池が設けられている。そして、モーター収容部１２の外壁には、図示しないスイッチが設けられており、このスイッチをオンすることによって、モーター１１を駆動できるようになっている。
【００３１】
上記泡立て容器１３は、上記モーター収容部１２の上側に設けられ、図１に示すように、底面には、後述する回転軸２１を貫通する貫通孔１３ａが形成されている。泡立て容器１３は、例えば、ＡＢＳ樹脂、シリコーンゴム又はステンレスにてなっているが、特に材質を限るものではない。ＡＢＳ樹脂は安価で軽量であり、使用者が女性であっても使用し易いという利点がある。シリコーンゴムの場合、軽量であることに加えて、ゴム状で滑り難く、風呂場等の環境であってもしっかりと保持できるという利点がある。ステンレスの場合、風呂場等の高湿の使用環境であってもカビ等が発生し難く、耐久性が高くなるという利点がある。
【００３２】
上記蓋体１４は、泡立て容器１３を覆うものである。本実施の形態では、蓋体１４は、泡立て容器１３の内部が見えるように、透明であることが好ましい。また、蓋体１４は、
泡立て容器１３にヒンジにて開閉自在に固定されていてよく、又は泡立て容器１３とは別体に切り離して設けられていてもよい。
【００３３】
本実施の形態の泡立て装置２０は、泡立て容器１３の内部に配設され、かつ回転中心としての回転軸２１の回りに回転する回転容器２２と、蓋体１４に支持固定され、回転容器２２の回転時に洗顔剤としての洗顔料ＣＬが盛られた回転容器２２の底面２２ａを摺動するブラシ体２３とを備えている。
【００３４】
上記回転容器２２には、回転中心に、上記モーター軸１１ａに嵌合される回転軸２１が回転容器２２の底面２２ａに固着されて設けられている。このため、前記モーター１１の駆動により、モーター軸１１ａが回転し、このモーター軸１１ａに嵌合された回転軸２１が回転するので、回転容器２２が回転できるようになっている。また、上述のように、回転軸２１は回転容器２２の底面２２ａに固着されているので、泡立て容器１３に洗顔料ＣＬ及び水を入れても、該洗顔料ＣＬ及び水が、下側の泡立て容器１３に漏れることはない。
【００３５】
上記ブラシ体２３は、本実施の形態では、図３に示すように、蓋体１４に支持固定されており、このブラシ体２３は、蓋体１４を泡立て容器１３に被せたときには、該ブラシ体２３が垂下し、該ブラシ体２３の下端が回転容器２２の底面２２ａに接触するようになっている。
【００３６】
ここで、本実施の形態では、ブラシ体２３は、図１に示すように、上部に位置する軸部２３ａと下部に位置するブラシ毛２３ｂとからなっている。そして、軸部２３ａは、回転容器２２の側壁面２２ｂとの間隔が、５ｍｍ以内となるように設定されている。さらに、ブラシ毛２３ｂの一部は、回転容器２２の側壁面２２ｂに接触するようになっている。
【００３７】
上記ブラシ体２３のブラシ毛２３ｂは、例えば、ＰＢＴ（Poly Butylene Terephthalate）等の人工毛、又はヤギ、リス、羊等の獣毛が用いられるが特に限定するものではない。
【００３８】
（美容器具の使用方法）
上記構成の美容器具１Ａにおける使用方法について、以下に説明する。
【００３９】
本実施の形態の美容器具１Ａを使用する場合には、図１に示すように、まず、泡立て容器１３に被されている蓋体１４を開け、洗顔料ＣＬと水とを回転容器２２の中に投入する。具体的には、例えば、０．５ｇの洗顔料ＣＬと２０ｍｌの水を投入する。
【００４０】
ここで、洗顔料ＣＬは、一般的な固形石鹸、粉状洗顔料、チューブ入りのペースト状洗顔料等であり、特に限定するものではない。尚、液体の洗顔料ＣＬにおいても、通常は、少量の水が添加される。
【００４１】
次いで、蓋体１４を泡立て容器１３に被せる。このとき、蓋体１４に固定されたブラシ体２３におけるブラシ毛２３ｂが回転容器２２の底面２２ａに接触する。
【００４２】
この状態で、美容器具１Ａの図示しないスイッチをオンすると、モーター１１が駆動し、これによって、モーター軸１１ａ及び回転軸２１を介して回転容器２２が回転する。
【００４３】
回転容器２２が回転を始めると、水と混合された洗顔料ＣＬは、遠心力によって回転容器２２の側壁面２２ｂに向かって移動する。そして、最終的に、ブラシ体２３のブラシ毛２３ｂの先端部に接触し、ブラシ毛２３ｂと回転容器２２の底面２２ａとの相対運動である摺動により泡立てられる。
【００４４】
このとき、本実施の形態では、ブラシ毛２３ｂの一部が回転容器２２の側壁面２２ｂに接触しているので、該ブラシ毛２３ｂが泡ＢＵをせき止める。その結果、泡立て開始時は、水と洗顔料ＣＬとを合わせて３０ｍｌにも満たないが、泡ＢＵの大半がブラシ毛２３ｂに堰き止められ、効率よく泡立てることができる。
【００４５】
すなわち、泡立て時間の経過に伴って、水と洗顔料ＣＬとを合わせた体積は、当初に比べ５倍以上になるが、そのうち一定量は必ずブラシ毛２３ｂに堰き止められる。堰き止められた泡ＢＵは、再びブラシ毛２３ｂの中を通過するが、そのとき、細かい空気と混ぜ合わされるので、泡ＢＵの１つ１つのキメがさらに細かくなる。
【００４６】
上述のようにして、回転容器２２の内部に、泡ＢＵが生成されると、蓋体１４が透明であるので、外部からその様子が見える。したがって、頃合いを見計らって、美容器具１Ａのスイッチをオフし、蓋体１４を開ける。
【００４７】
続いて、泡立てた泡ＢＵを、洗顔プレート１６・１６の振動板１６ａ・１６ａ上にそれぞれ載せて洗顔を行う。このとき、洗顔プレート１６・１６の振動板１６ａ・１６ａは上下左右に細かく振動し、該振動板１６ａ・１６ａの振動が泡ＢＵに伝わり、泡ＢＵを振動させる。これにより、顔の肌表面を擦ることなく洗浄することができる。
【００４８】
ここで、本実施の形態の美容器具１Ａでは、回転容器２２の回転数や泡立て時間等を一定に保つことができるため、短時間で効率よくキメの細かい泡立てを行うことができる。
【００４９】
また、手の平に、洗顔料ＣＬを載せて泡立てる必要がなく自動的に泡立てが行えるため、洗顔時の時間の短縮が図れる。さらに、洗顔料ＣＬの重量や水の量を毎回同量にすることによって、経常的にキメの細かい良質の泡ＢＵを生成することができる。
【００５０】
このように、本実施の形態の美容器具１Ａでは、容器としての泡立て容器１３の内部に入れられた洗顔剤としての洗顔料ＣＬを泡立て装置２０を備えている。そして、泡立て装置２０は、泡立て容器１３の内部に配設され、かつ回転中心としての回転軸２１の回りに回転する回転板としての底面２２ａを有する回転容器２２と、泡立て容器１３の蓋体１４に支持固定され、回転容器２２の回転時に洗顔料ＣＬが盛られた該回転容器２２の底面２２ａを摺動するブラシ体２３とを備えている。
【００５１】
このため、泡ＢＵを生成するときには、洗顔料ＣＬを泡立て容器１３の内部における回転容器２２に投入する。この状態で、回転容器２２を回転させると、洗顔料ＣＬ及び水が盛られた回転容器２２の底面２２ａをブラシ体２３が摺動する。このとき、洗顔料ＣＬ及び水が盛られた回転容器２２するが、ブラシ体２３は蓋体１４に支持固定されているので動かない。
【００５２】
この結果、洗顔料ＣＬ及び水が盛られた回転容器２２をブラシ体２３が摺動することによって、洗顔料ＣＬ及び水が泡ＢＵになる。
【００５３】
この場合、泡ＢＵの発生は、回転容器２２の底面２２ａとブラシ体２３との摺動によるものであるので、細かい粒子形状の泡ＢＵが生成される。このため、クレンジングや洗顔との美容用途に適している。
【００５４】
また、本実施の形態では、洗顔料ＣＬは回転容器２２の内部に入れられる。このため、ガーゼ等の布に浸した洗顔料ＣＬのみを泡ＢＵにするものではないので、所望量の泡ＢＵを生成することができ、取扱いも容易である。
【００５５】
さらに、泡立て装置２０の構成としては、泡立て容器１３の内部に配設された回転容器２２の底面２２ａとブラシ体２３だけであるので、構造が簡単で、密閉空間もない。この結果、洗浄が容易である。
【００５６】
したがって、所望量の泡ＢＵを生成することができ、かつ取扱い及び洗浄が容易で美容用途に適した泡立て装置２０を備えた美容器具１Ａを提供することができる。
【００５７】
ここで、本実施の形態の美容器具１Ａでは、回転容器２２の底面２２ａの表面は、表面粗さが１０μｍ以上となっていることが好ましいことが、実験により確認できている。これにより、洗顔に適した粘度の高い泡ＢＵを生成することができる。
【００５８】
ここで、本実施の形態の美容器具１Ａでは、回転容器２２の底面２２ａの表面における表面粗さは、例えば、より大きな、０．５ｍｍ〜１ｍｍ程度の凹凸や四角錐形状等との複合構造を有することもできる。
【００５９】
このように形成することによって、回転容器２２の底面２２ａの面積が実質的に拡大するため、ブラシ体２３のブラシ毛２３ｂと回転容器２２の底面２２ａとの摺動がより確実なものとなる。
【００６０】
また、本実施の形態の美容器具１Ａの泡立て装置２０では、弾力があり洗顔時に潰れ難い泡ＢＵである粘度１，０００ｍＰａ以上の泡ＢＵを生成することができる。さらには、３０代以降の毛穴を効果的に洗顔できる平均泡サイズが０．０３ｍｍ２の泡ＢＵが生成できることが確認できた。
【００６１】
また、本実施の形態の美容器具１Ａでは、回転容器２２の底面２２ａの表面は、表面エネルギーが２０×１０−３Ｎ／ｍ以下となっていることが好ましいことが、実験により確認できた。尚、表面エネルギーは、表面張力とは大きさは同じであるが、表現の異なる量である。詳細には、表面張力は力であるので、方向性を持った量、すなわち矢印で示すことができるベクトル量である。一方、表面エネルギーはエネルギーであるので、方向性を持たない、大きさだけのスカラー量である。
【００６２】
これにより、回転容器２２の底面２２ａの表面の濡れ性が小さくなり、洗顔料ＣＬ及び水が回転容器２２の底面２２ａの表面を転がり易くなる。この結果、特に、泡立て開始直後において、効率よく水と洗顔料ＣＬとを泡立てることができる。
【００６３】
また、本実施の形態における美容器具１Ａは、泡立て容器１３の内部には、回転板としての底面２２ａを有する回転容器２２が設けられている。これにより、洗顔料ＣＬを入れることができる回転容器２２を泡立て容器１３の内部に設けるので、洗顔料ＣＬが回転板の下側に浸入することがない。この結果、確実に、使用後の洗浄が容易かつ取扱い容易となる美容器具１Ａを提供することができる。
【００６４】
さらに、本実施の形態では、回転容器２２及び泡立て容器１３が取り外し可能に設けられている。このため、美容器具１Ａを使用した後の洗浄を容易に行うことができる。
【００６５】
また、本実施の形態の美容器具１Ａでは、ブラシ体２３は、上部に位置する軸部２３ａと下部に位置するブラシ毛２３ｂとからなり、軸部２３ａと回転容器２２の側壁面２２ｂとの間隔が、５ｍｍ以内となるように設定されていると共に、ブラシ毛２３ｂの一部は、回転容器２２の側壁面２２ｂに接触するようになっている。
【００６６】
すなわち、回転容器２２が高速で回転すると、洗顔料ＣＬが遠心力によって回転容器２２の側壁面２２ｂ近傍に集まる。この場合、ブラシ体２３と回転容器２２の側壁面２２ｂとの間隔が開いていると、洗顔料ＣＬが遠心力によって大部分が回転容器２２の側壁面２２ｂに集中し、回転容器２２の底面２２ａにブラシ体２３が摺動しても、摺動面での洗顔剤が少ないので、泡ＢＵの発生量が少なくなる。
【００６７】
これに対して、本実施の形態では、ブラシ体２３は、上部に位置する軸部２３ａと下部に位置するブラシ毛２３ｂとからなり、軸部２３ａと回転容器２２の側壁面２２ｂとの間隔が、５ｍｍ以内となるように設定されている。このため、軸部２３ａと回転容器２２の側壁面２２ｂとの間に、洗顔料ＣＬが集中するのを防止することができる。
【００６８】
また、本実施の形態では、ブラシ毛２３ｂの一部は、回転容器２２の側壁面２２ｂに接触するようになっている。このため、ブラシ毛２３ｂにて、遠心力で回転容器２２の側壁面２２ｂの近傍に集まった洗顔料ＣＬを堰き止めることができる。
【００６９】
したがって、ブラシ毛２３ｂの摺動面において洗顔料ＣＬが少なくなるのを防止し、泡ＢＵの発生量が少なくなるのを防止することができる。
【００７０】
〔実施の形態２〕
本発明の他の実施の形態について図４に基づいて説明すれば、以下のとおりである。尚、本実施の形態において説明すること以外の構成は、前記実施の形態１と同じである。また、説明の便宜上、前記の実施の形態１の図面に示した部材と同一の機能を有する部材については、同一の符号を付し、その説明を省略する。
【００７１】
前記実施の形態１の美容器具１Ａの泡立て装置２０では、泡立て容器１３の内部に回転板としての底面２２ａを有する回転容器２２が設けられていた。しかし、本実施の形態の美容器具１Ｂの泡立て装置３０では、図４に示すように、泡立て容器１３の内部に回転板３１を備えている点が異なっている。
【００７２】
本実施の形態の美容器具１Ｂの泡立て装置３０の構成について、図４に基づいて説明する。図４は、本実施の形態の美容器具１Ｂの泡立て装置３０の構成を示す断面図である。
【００７３】
本実施の形態の美容器具１Ｂの泡立て装置３０は、図４に示すように、容器としての泡立て容器１３の内部に配設され、かつ回転中心としての回転軸２１の回りに回転する回転板３１と、泡立て容器１３に支持固定され、回転板３１の回転時に洗顔料ＣＬが盛られた回転板３１を摺動するブラシ体２３とを備えている。
【００７４】
これ以外の構成は、前記実施の形態１の美容器具１Ａにおける泡立て装置２０と同じであるので、その説明を省略する。
【００７５】
本実施の形態の美容器具１Ｂでは、泡ＢＵを生成するときには、洗顔料ＣＬを泡立て容器１３の内部における回転板３１に投入する。この状態で、回転板３１を回転させると、洗顔料ＣＬ及び水が盛られた回転板３１をブラシ体２３のブラシ毛２３ｂが摺動する。これによって、洗顔料ＣＬ及び水が泡ＢＵになる。
【００７６】
この場合、泡ＢＵの発生は、回転板３１とブラシ体２３との摺動によるものであるので、細かい粒子形状の泡ＢＵが生成される。このため、クレンジングや洗顔との美容用途に適している。特に本実施の形態では、上記の回転容器２２における側壁面２２ｂが存在しないので、より構成が簡単になっている。
【００７７】
また、本実施の形態では、洗顔料ＣＬは泡立て容器１３の内部に入れられる。このため、ガーゼ等の布に浸した洗顔料ＣＬのみを泡にするものではないので、所望量の泡を生成することができ、取扱いも容易である。
【００７８】
さらに、泡立て装置３０の構成としては、泡立て容器１３の内部に配設された回転板３１とブラシ体２３だけであるので、構造が簡単で、密閉空間もない。この結果、洗浄が容易である。
【００７９】
したがって、所望量の泡ＢＵを生成することができ、かつ取扱い及び洗浄が容易で美容用途に適した泡立て装置３０を備えた美容器具１Ｂを提供することができる。
【００８０】
〔実施の形態３〕
本発明のさらに他の実施の形態について図５に基づいて説明すれば、以下のとおりである。尚、本実施の形態において説明すること以外の構成は、前記実施の形態１及び実施の形態２と同じである。また、説明の便宜上、前記の実施の形態１及び実施の形態２の図面に示した部材と同一の機能を有する部材については、同一の符号を付し、その説明を省略する。
【００８１】
前記実施の形態１の美容器具１Ａにおける泡立て装置２０の回転容器２２の底面２２ａ、又は前記実施の形態２の美容器具１Ｂにおける泡立て装置３０の回転板３１は、表面が素材の機械的加工による凹凸形状となっていた。
【００８２】
しかしながら、上記回転容器２２の底面２２ａの表面及び回転板３１の表面形状は、必ずしもこれに限らない。
【００８３】
例えば、実施の形態１にて説明したような、表面エネルギーの小さい表面を持つ素材、すなわち濡れ性の小さいつまり撥水性の高い素材として、生物の生体構造を模倣した凹凸構造を表面に付与することも可能である。
【００８４】
例えば、図５の（ａ）に示すように、アメンボの足の微細毛、又は図５の（ｂ）に示すように、蓮の葉の微細構造によるロータス効果を生じるもの使用することができる。
【００８５】
すなわち、アメンボの足の先は、水の中に入れようとしても、容易には入らない。この理由は、アメンボの足の先には、びっしりと微細毛が生えている。そして、この微細毛が水を弾くようになっている。尚、アメンボの足に限らず、例えばテントウムシやハムシの足も微細毛を有しているので、模倣することが可能である。
【００８６】
次に、蓮の葉も同様の微細構造を有しており、この蓮の葉の水を弾く効果をロータス効果という。すなわち、蓮の葉はその微細構造と表面の化学的特性により、決して濡れることがない。葉の表面についた水は表面張力によって水銀のように丸まって水滴となり、転がり落ちる。この現象がロータス効果として知られる。尚、サトイモ（里芋）の葉等でも微細構造と表面の化学的特性から同様の効果が見られるので、模倣が可能である。
【００８７】
このように、本実施の形態では、回転容器２２の底面２２ａ又は回転板３１の表面には、生物を模倣した微細毛又は微細構造が付与されている。
【００８８】
これにより、回転容器２２の底面２２ａ又は回転板３１の表面の濡れ性が特に小さくなり、超撥水状態となり、洗顔料ＣＬ及び水が回転容器２２の底面２２ａ又は回転板３１の表面を極めて転がり易くなる。この結果、特に、泡立て開始直後において、効率よく水と洗顔料ＣＬとを泡立てることができる。
【００８９】
したがって、どのような素材であっても表面エネルギーの小さい表面を形成することができ、洗顔に適した泡ＢＵを生成する回転容器２２の底面２２ａ又は回転板３１を構成することができる。
【００９０】
〔実験例１〕
本実施の形態２の美容器具１Ｂにおける泡立て装置３０の回転板３１について、その表面粗さが、生成される泡ＢＵの性状にどのように影響するかについて確認実験を行った。
【００９１】
実験は、図６に示すように、３種類の素材で作製された回転板３１を用いて泡立て実験を行った。図６は、美容器具１Ｂにおける回転板の素材の種類に対する表面粗さと泡の粘度との関係を示す図である。
【００９２】
具体的には、図６に示すように、回転板３１の３種類の素材として、シリコーンゴムと、ステンレス板と、ＡＢＳ樹脂とを用いた。シリコーンゴムでは、凹凸加工を施したものと、シボ加工を施したものと、鏡面加工を施したものとした。また、ステンレス板では、ヘアライン加工を施したものと、鏡面加工を施したものとした。さらに、ＡＢＳ樹脂の場合は、成型品を使用した。
【００９３】
ここで、シボ加工とは、表面にシワ模様（皺（しぼ））を付ける加工をいう。シワ模様には、例えば、模様には皮革（ウロコ）、梨地、木目、岩目、砂目、布地模様、幾何学模様等がある。また、ヘアライン加工とは、金属の表面処理加工の一種であり、単一方向に髪の毛程の細い傷を付ける加工をいう。
【００９４】
この場合、それぞれの表面粗さは、凹凸加工を施したシリコーンゴムでは、表面粗さ（Ｒ）が５０μｍであり、シボ加工を施したシリコーンゴムでは、表面粗さ（Ｒ）が１μｍであり、鏡面加工を施したシリコーンゴムでは、表面粗さ（Ｒ）が０．５μｍである。
【００９５】
また、ヘアライン加工を施したステンレス板の表面粗さ（Ｒ）は１０μｍであり、光沢を持つ鏡面加工を施したステンレス板の表面粗さ（Ｒ）は０．５μｍである。さらに、成型品のＡＢＳ樹脂の表面粗さ（Ｒ）は０．５μｍである。
【００９６】
上記の各種の素材の回転板３１を用いて、該回転板３１を回転数２００ｒｐｍ、回転時間３分として泡立ちを比較した。洗顔料ＣＬは、市販のものを０．５ｇ使用し、水を２０ｍｌ加えた状態で回転による泡立てを行った。そして、生成した泡ＢＵについて、回転粘度計を用いて粘度を測定し、より粘度の高い弾力のある泡を洗顔に最適な泡状態として評価を行った。
【００９７】
その結果を、図６及び図７に示す。図７は、美容器具１Ｂにおける回転板３１の各種の素材と表面粗さと泡の粘度との関係を示すグラフである。尚、図６において、分離とは、３分間泡立てを行なっても全く泡立たず、洗顔料ＣＬが溶解した層と水の層との２層に分離する結果となったことを表している。
【００９８】
図６及び図７から分かるように、回転板３１表面粗さが増加するに伴って、キメの細かい弾力のある泡ＢＵが生成できたといえる。
【００９９】
このように、スポンジ等を用いて泡立てを行うのではなく、泡立て用のブラシ体２３と泡立て用の回転板３１とを用いることによって、キメの細かい弾力のある泡ＢＵを生成することが可能となることが分かった。
【０１００】
また、回転板３１の材質や表面構造を選択することによって、より洗顔に適した粘度の高い泡ＢＵを生成することができることが確認できた。
【０１０１】
〔実験例２〕
ここでは、前記実験例１にて生成した泡ＢＵの平均泡サイズと、一般的に市販されている泡状の洗顔料の平均泡サイズとを比較した。
【０１０２】
前記実験例１にて生成した泡ＢＵについては、凹凸加工を施したシリコーンゴムを用いたものを採用した。また、市販されている泡状の洗顔料については、４種類の洗顔料を検討した。
【０１０３】
その結果を、図８に示す。図８は、市販の泡洗顔剤の平均泡サイズと、実験例１にて生成した泡の平均泡サイズとの関係を示す図である。
【０１０４】
図８に示すように、市販の４種類の洗顔料の使用感を比較したところ、平均泡サイズが０．０３ｍｍ２である洗顔料Ｂのように平均泡サイズが小さい程、キメが細かく粘度が高いとした感触が得られた。
【０１０５】
また、凹凸加工を施したシリコーンゴムを用いた場合の泡ＢＵの平均泡サイズは、０．０３ｍｍ２であった。
【０１０６】
ここで、平均泡サイズが小さくキメの細かい泡を使用すると、泡の表面積が大きくなり、汚れを吸着する力が上昇する。これに対して、平均泡サイズが大きな泡は肌に触れる面積が小さく、さらに弾力がなく潰れやすくなってしまう。
【０１０７】
これより、実験例１にて生成した泡ＢＵのように、弾力が高くて潰れ難く、さらに平均泡サイズが小さい泡を生成することが望ましいと考えられる。
【０１０８】
ここで、一般的な年代別の毛穴のサイズを図９に示す。図９から分かるように、２０代の肌では毛穴の大きさが０．０２ｍｍ２であり５０代の肌では毛穴の大きさが０．０５ｍｍ２となっている。この結果、市販の洗顔料Ｂや実験例１の凹凸加工を施したシリコーンゴムを用いて生成された泡ＢＵのサイズが、一般的な３０代の毛穴のサイズに一致し、３０代以上の肌に対して効果的に洗顔を行えるといえる。
【０１０９】
〔実験例３〕
次に、回転板３１の素材に対する表面状態と濡れ性との関係について検討した。
【０１１０】
その検討結果について、図１０に基づいて説明する。図１０は、実験例１にて用いた素材と表面エネルギーと濡れ性との相関を示す図である。
【０１１１】
尚、図１０において、シリコーンゴムの試験体番号（１）（２）は、凹凸加工を施したシリコーンゴムにて泡ＢＵを形成したものである。ステンレスの試験体番号（３）（４）は、ヘアライン加工を施したステンレスにて泡ＢＵを形成したものである。そして、シリコーンゴムの試験体番号（１）は水の投入場所を、ブラシ毛２３ｂとしたものであり、シリコーンゴムの試験体番号（２）は水の投入場所を、泡立て容器１３の中央としたものである。ステンレスの試験体番号（３）（４）についても同様である。このようなことを検討したのは、水の投入場所によって、泡立て容器１３の側壁面１３ｂへの水の到達時間が異なるためである。
【０１１２】
図１０においては、効率のよい泡立てには表面エネルギーが２０［１０−３Ｎ／ｍ］以下の素材を用いることが望ましいことが分かる。すなわち、表面エネルギーの小さい素材を回転板３１に用いた場合、水が回転板３１の表面を転がり易い。このため、特に、泡立て開始直後において、効率よく水と洗顔料ＣＬとを泡立てることができる。
【０１１３】
このように、洗顔に適した泡ＢＵを生成するには、回転板３１の素材を表面エネルギーの小さい素材にするのがよく、特に２０［１０−３Ｎ／ｍ］以下の素材が適しているといえる。
【０１１４】
〔まとめ〕
本発明の態様１における美容器具１Ｂは、容器（泡立て容器１３）の内部に入れられた洗顔剤（洗顔料ＣＬ）を泡立てる泡立て装置３０を備えた美容器具１Ｂにおいて、上記泡立て装置３０は、上記容器（泡立て容器１３）の内部に配設され、かつ回転中心（回転軸２１）の回りに回転する回転板３１と、上記容器（蓋体１４）に支持固定され、上記回転板３１の回転時に上記洗顔剤（洗顔料ＣＬ）が盛られた該回転板３１を摺動するブラシ体２３とを備えていることを特徴としている。
【０１１５】
上記の発明によれば、泡を生成するときには、洗顔剤を容器の内部における回転板に投入する。この状態で、回転板を回転させると、洗顔剤が盛られた回転板をブラシ体が摺動する。このとき、洗顔剤が盛られた回転板は回転するが、ブラシ体は容器に支持固定されているので動かない。
【０１１６】
この結果、洗顔剤が盛られた回転板をブラシ体が摺動することによって、洗顔剤が泡になる。
【０１１７】
この場合、泡の発生は、回転板とブラシ体との摺動によるものであるので、細かい粒子形状の泡が生成される。このため、クレンジングや洗顔との美容用途に適している。
【０１１８】
また、本発明では、洗顔剤は容器の内部に入れられる。このため、ガーゼ等の布に浸した洗顔剤のみを泡にするものではないので、所望量の泡を生成することができ、取扱いも容易である。
【０１１９】
さらに、泡立て装置の構成としては、容器の内部に配設された回転板とブラシ体だけであるので、構造が簡単で、密閉空間もない。この結果、洗浄が容易である。
【０１２０】
したがって、所望量の泡を生成することができ、かつ取扱い及び洗浄が容易で美容用途に適した泡立て装置を備えた美容器具を提供することができる。
【０１２１】
本発明の態様２における美容器具１Ａ・１Ｂは、態様１における美容器具において、前記回転板（回転板３１・回転容器２２の底面２２ａ）の表面は、表面粗さが１０μｍ以上となっていることが好ましい。
【０１２２】
これにより、洗顔に適した粘度の高い泡を生成することができる。
【０１２３】
本発明の態様３における美容器具１Ａ・１Ｂは、態様１又は２における美容器具において、前記回転板（回転板３１・回転容器２２の底面２２ａ）の表面は、表面エネルギーが２０×１０−３Ｎ／ｍ以下となっていることが好ましい。
【０１２４】
これにより、回転板の濡れ性が小さくなり、洗顔剤及び水が回転板の表面を転がり易くなる。この結果、特に、泡立て開始直後において、効率よく水と洗顔剤とを泡立てることができる。
【０１２５】
本発明の態様４における美容器具１Ａ・１Ｂは、態様１、２又は３における美容器具において、前記回転板（回転板３１・回転容器２２の底面２２ａ）の表面には、生物を模倣した微細毛又は微細構造が付与されていることが好ましい。尚、生物を模倣した微細毛又は微細構造とは、アメンボの足の微細毛や、蓮の葉の微細構造によるロータス効果を生じるものをいう。撥水構造の一種である。
【０１２６】
これにより、回転板に微細毛や微細構造を設けることによって、回転板の濡れ性が特に小さくなり、超撥水状態となり、洗顔剤が回転板の表面を極めて転がり易くなる。
【０１２７】
この結果、どのような素材であっても表面エネルギーの小さい表面を形成することができ、洗顔に適した泡を生成する回転容器の底面又は回転板を構成することができる。
【０１２８】
本発明の態様５における美容器具１Ａは、態様１〜４のいずれか１における美容器具において、前記容器（泡立て容器１３）の内部には、前記回転板としての底面２２ａを有する回転容器２２が設けられていることが好ましい。尚、回転容器が取り外し可能に設けられていることが特に好ましい。
【０１２９】
これにより、洗顔剤を入れることができる回転容器を容器の内部に設けるので、洗顔剤が回転板の下側に浸入することがない。この結果、確実に、使用後の洗浄が容易かつ取扱い容易となる美容器具を提供することができる。
【０１３０】
本発明の態様６における美容器具１Ａは、態様５における美容器具において、前記ブラシ体２３は、軸部２３ａと前記回転容器２２の底面２２ａ側に位置するブラシ毛２３ｂとからなり、上記軸部２３ａと前記回転容器２２の側壁面２２ｂとの間隔が、５ｍｍ以内となるように設定されていると共に、上記ブラシ毛２３ｂの一部は、上記回転容器２２の側壁面２２ｂに接触するようになっていることが好ましい。
【０１３１】
すなわち、回転容器が高速で回転すると、洗顔剤が遠心力によって回転容器の側壁面に集まる。この場合、前記ブラシ体と回転容器の側壁面との間隔が開いていると、洗顔剤が遠心力によって大部分が回転容器の側壁面に集中すると、回転容器の内表面にブラシ体が摺動しても、摺動面での洗顔剤が少ないので、泡の発生量が少なくなる。
【０１３２】
これに対して、本発明では、前記ブラシ体は、軸部と前記回転容器の底面側に位置するブラシ毛とからなり、上記軸部と前記回転容器の側壁面との間隔が、５ｍｍ以内となるように設定されている。このため、軸部と前記回転容器の側壁面との間に洗顔剤が集中するのを防止することができる。
【０１３３】
また、本発明では、さらに、ブラシ毛の一部は、回転容器の側壁面に接触するようになっている。このため、ブラシ毛にて、遠心力で回転容器の側壁面の近傍に集まった洗顔剤を堰き止めることができる。
【０１３４】
したがって、ブラシ毛の摺動面において洗顔剤が少なくなるのを防止し、泡の発生量が少なくなるのを防止することができる。
【０１３５】
尚、本発明は、上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【産業上の利用可能性】
【０１３６】
本発明は、容器の内部に入れられた洗顔剤を泡立てる泡立て装置を備えた美容器具に利用することができる。例えば、泡にてクレンジングや洗顔を行う美容器具に適用することができる。また、電動モーターにて稼動する洗顔用ブラシ又はプレートと顔との間には泡を挟んで該洗顔用ブラシ又はプレートを上下左右に細かく動かし、効果的に洗顔を行うときに使用すべく、洗顔料を洗顔に好適な泡状態に泡立てる泡立て装置を備えた美容器具に適用することができる。
【符号の説明】
【０１３７】
１Ａ      美容器具
１Ｂ      美容器具
１０        筐体
１１        モーター
１１ａ      モーター軸
１２        モーター収容部
１３        泡立て容器（容器）
１３ａ      貫通孔
１３ｂ      側壁面
１４        蓋体
１５        底面カバー
１６        洗顔プレート
１６ａ      振動板
１７        ホルダー
２０        泡立て装置
２１        回転軸
２１ａ      モーター軸用孔
２２        回転容器
２２ａ      底面（回転板）
２２ｂ      側壁面
２３        ブラシ体
２３ａ      軸部
２３ｂ      ブラシ毛
３０        泡立て装置
３１        回転板
【図１】
2015198731.tif 000003
【図４】
2015198731.tif 000004
【図６】
2015198731.tif 000005
【図７】
2015198731.tif 000006
【図８】
2015198731.tif 000007
【図９】
2015198731.tif 000008
【図１０】
2015198731.tif 000009
【図１１】
2015198731.tif 000010
【図１２】
2015198731.tif 000011
【図１３】
2015198731.tif 000012
【図２】
2015198731.tif 000013
【図３】
2015198731.tif 000014
【図５】
2015198731.tif 000015